(57)【要約】【課題】例えば幅寸法が僅かに違うようなコネクタ同士であっても誤組み付けを防止することが可能なコネクタブロック、及び、コネクタブロックのコネクタ収容構造を提供する。【解決手段】コネクタブロック１は、第一コネクタ収容部３４と第二コネクタ収容部３５とを少なくとも有する。第一コネクタ収容部３４には、第一コネクタが正規に収容される。また、第二コネクタ収容部３５には、第二コネクタ４が正規に収容される。コネクタブロック１は、第一コネクタ収容部３４に第二コネクタ４が誤って挿入されると誤組み付けが分かり、結果、誤組み付けを防止することができる。この誤組み付け防止に係り具体的には、第一コネクタ収容部３４の内部で第二コネクタ４が第一コネクタ収容部３４における一対の段部４９の間のスペース５２に入り込んでガタツキ状態になり、このガタツキ状態によって誤組み付けが生じていることが分かる。【選択図】図８
2019046600.tif 000002
【特許請求の範囲】
【請求項１】
第一コネクタの正規収容部分として形成される第一コネクタ収容部と、第二コネクタの正規収容部分として形成される第二コネクタ収容部とを少なくとも有し、
前記第一コネクタにおけるロック部の形成側を前記第一コネクタの上側と定義すれば、前記第一コネクタ収容部は、前記上側に向かい合う上側対向部と、前記第一コネクタの下側に向かい合う下側対向部と、前記第一コネクタの左側及び右側にそれぞれ向かい合う左側対向部及び右側対向部とを有して矩形枠状の形状に形成され、
前記上側対向部は、前記下側対向部との間で前記第一コネクタを保持するように該第一コネクタの上下方向の厚み寸法に合わせて突出する一対の段部を有し、
該一対の段部は、前記上側対向部の両端側に位置するように離れた状態に、且つ、前記第二コネクタが誤って前記第一コネクタ収容部に挿入されても前記第二コネクタが前記一対の段部の間に形成されるスペースに入り込むように離れた状態に配置される
ことを特徴とするコネクタブロック。
【請求項２】
請求項１に記載のコネクタブロックにおいて、
前記第一コネクタ収容部は、前部開口及び後部開口と、ロックアームと、ストッパとを有し、
前記ロックアームは、前記後部開口から前記前部開口に向けて前記第一コネクタを挿入すると該第一コネクタの前記ロック部を係止して前記第一コネクタの後方への移動を規制する部分に形成され、
前記ストッパは、前記第一コネクタの前方への移動を規制する部分に形成され、
前記ロックアームの係止部分と前記ストッパとの間隔は、前記第一コネクタにおけるフード部の長さ寸法に合わせて設定される
ことを特徴とするコネクタブロック。
【請求項３】
請求項１又は２に記載のコネクタブロックと、該コネクタブロックの第一コネクタ収容部に正規収容される第一コネクタと、前記コネクタブロックの第二コネクタ収容部に正規収容される第二コネクタとを備え、
前記第一コネクタ収容部に前記第二コネクタが誤って挿入されると、前記第一コネクタ収容部の内部では、前記第二コネクタが前記第一コネクタ収容部における一対の段部の間のスペースに入り込んでガタツキ状態になる
ことを特徴とするコネクタブロックのコネクタ収容構造。
【発明の詳細な説明】
【技術分野】
【０００１】
本発明は、第一コネクタ収容部と第二コネクタ収容部とを少なくとも有するコネクタブロックに関する。また、このコネクタブロックのコネクタ収容構造に関する。
【背景技術】
【０００２】
従来、ワイヤハーネス同士を電気的に接続する場合、一方のワイヤハーネスにおける複数のコネクタを一つのコネクタブロックに組み付ける構造が採用される。この構造では、コネクタが誤って組み付けられないようにするための部分が設けられる（例えば特許文献１参照）。
【先行技術文献】
【特許文献】
【０００３】
【特許文献１】特開２００７−１７３０８６号公報
【発明の概要】
【発明が解決しようとする課題】
【０００４】
上記従来技術にあっては、誤組み付け防止に係る部分がコネクタブロックに対するコネクタの衝突有無で分かるような構造になる。そのため、コネクタブロックとコネクタとの双方にそれぞれ上記部分を持たせる必要がある。しかしながら、例えば二つのコネクタに僅かな構造差しかなく、また、上記部分をコネクタ側に持たせることができない場合には、誤組み付けを防止することが困難になってしまうという問題点を有する。
【０００５】
本発明は、上記した事情に鑑みてなされたもので、例えば幅寸法が僅かに違うようなコネクタ同士であっても誤組み付けを防止することが可能なコネクタブロック、及び、コネクタブロックのコネクタ収容構造の提供を課題とする。
【課題を解決するための手段】
【０００６】
上記課題を解決するためになされた請求項１に記載の本発明のコネクタブロックは、第一コネクタの正規収容部分として形成される第一コネクタ収容部と、第二コネクタの正規収容部分として形成される第二コネクタ収容部とを少なくとも有し、前記第一コネクタにおけるロック部の形成側を前記第一コネクタの上側と定義すれば、前記第一コネクタ収容部は、前記上側に向かい合う上側対向部と、前記第一コネクタの下側に向かい合う下側対向部と、前記第一コネクタの左側及び右側にそれぞれ向かい合う左側対向部及び右側対向部とを有して矩形枠状の形状に形成され、前記上側対向部は、前記下側対向部との間で前記第一コネクタを保持するように該第一コネクタの上下方向の厚み寸法に合わせて突出する一対の段部を有し、該一対の段部は、前記上側対向部の両端側に位置するように離れた状態に、且つ、前記第二コネクタが誤って前記第一コネクタ収容部に挿入されても前記第二コネクタが前記一対の段部の間に形成されるスペースに入り込むように離れた状態に配置されることを特徴とする。
【０００７】
このような請求項１の特徴を有する本発明によれば、第一コネクタを第一コネクタ収容部に収容すると、第一コネクタ収容部における上側対向部の一対の段部と下側対向部との間で第一コネクタを保持するような状態に収容することができる。すなわち、ガタツキのない状態に収容することから、第一コネクタを第一コネクタ収容部に正規収容することができる。また、本発明によれば、第一コネクタに対し例えば幅寸法が僅かに違うような第二コネクタを誤って第一コネクタ収容部に挿入してしまった場合には、第二コネクタが一対の段部の間に形成されるスペースに入り込み、そのため第二コネクタが下側対向部から離れる方向に傾くような状態になり、結果、安定性を欠いて比較的大きなガタツキが生じるようになる（一般的な嵌合ガタとは異なる大きなガタツキが生じるようになる）。従って、本発明では比較的大きなガタツキにより誤組み付けが生じていることが分かり、この時点で第二コネクタの収容を止めて元に戻せばよい。以上のように、本発明では誤組み付けを防止することができるという効果を奏する。
【０００８】
請求項２に記載の本発明は、請求項１に記載のコネクタブロックにおいて、前記第一コネクタ収容部は、前部開口及び後部開口と、ロックアームと、ストッパとを有し、前記ロックアームは、前記後部開口から前記前部開口に向けて前記第一コネクタを挿入すると該第一コネクタの前記ロック部を係止して前記第一コネクタの後方への移動を規制する部分に形成され、前記ストッパは、前記第一コネクタの前方への移動を規制する部分に形成され、前記ロックアームの係止部分と前記ストッパとの間隔は、前記第一コネクタにおけるフード部の長さ寸法に合わせて設定されることを特徴とする。
【０００９】
このような請求項２の特徴を有する本発明によれば、第一コネクタを第一コネクタ収容部の後部開口から前部開口に向けて挿入すると、第一コネクタ収容部におけるロックアームによりロック部が係止されて第一コネクタの後方への移動を規制することができる。また、第一コネクタ収容部におけるストッパにより第一コネクタの前方への移動を規制することもできる。すなわち、前後方向にガタツキのない状態に収容することから、第一コネクタを第一コネクタ収容部に正規収容することができる。また、本発明によれば、第一コネクタに対し例えばフード部の長さ寸法が僅かに違うような第二コネクタを誤って第一コネクタ収容部に挿入してしまった場合には、第二コネクタに前後方向のガタツキが生じたり（フード部が短い場合）、第二コネクタをロックアームにより係止することができなかったり（フード部が長い場合）し、結果、誤組み付けが生じていることが分かる。また、ロック音もしないことから、誤組み付けが生じていることが分かる。従って、本発明では例えばフード部の寸法が僅かに違うようなコネクタ同士であっても誤組み付けを防止することができるという効果を奏する。
【００１０】
また、上記課題を解決するためになされた請求項３に記載の本発明のコネクタブロックのコネクタ収容構造は、請求項１又は２に記載のコネクタブロックと、該コネクタブロックの第一コネクタ収容部に正規収容される第一コネクタと、前記コネクタブロックの第二コネクタ収容部に正規収容される第二コネクタとを備え、前記第一コネクタ収容部に前記第二コネクタが誤って挿入されると、前記第一コネクタ収容部の内部では、前記第二コネクタが前記第一コネクタ収容部における一対の段部の間のスペースに入り込んでガタツキ状態になることを特徴とする。
【００１１】
このような請求項３の特徴を有する本発明によれば、請求項１又は２に記載のコネクタブロックを備えて構成されるコネクタ収容構造であることから、例えば幅寸法が僅かに違うようなコネクタ同士であっても誤組み付けを防止することができるという効果を奏する。
【発明の効果】
【００１２】
本発明のコネクタブロック、及び、コネクタブロックのコネクタ収容構造によれば、例えば幅寸法が僅かに違うようなコネクタ同士であっても誤組み付けを防止することができるという効果を奏する。
【図面の簡単な説明】
【００１３】
【図１】本発明のコネクタブロック、及び、コネクタブロックのコネクタ収容構造の一実施形態を示す斜視図である。
【図２】図１のコネクタブロックの正面図である。
【図３】図２の矢印Ａ部分の拡大図である。
【図４】コネクタブロックだけの斜視図である。
【図５】図２のＢ−Ｂ線断面図である。
【図６】図５の矢印Ｃの方向から見た図である。
【図７】図６の第一コネクタ収容部と第一コネクタの図である。
【図８】第二コネクタを誤って第一コネクタ収容部に挿入してしまった場合の斜視図である。
【図９】図８のコネクタブロックの正面図である。
【図１０】図９のＤ−Ｄ線断面図である。
【図１１】図１０の矢印Ｅの方向から見た図である。
【図１２】第二コネクタが第一コネクタ収容部から外れる状態を示す断面図である。
【発明を実施するための形態】
【００１４】
コネクタブロックは、第一コネクタ収容部と第二コネクタ収容部とを少なくとも有する。第一コネクタ収容部には、第一コネクタが正規に収容される。また、第二コネクタ収容部には、第二コネクタが正規に収容される。コネクタブロックは、第一コネクタ収容部に第二コネクタが誤って挿入されると誤組み付けが分かり、結果、誤組み付けを防止することができる。この誤組み付け防止に係り具体的には、第一コネクタ収容部の内部で第二コネクタが第一コネクタ収容部における一対の段部の間のスペースに入り込んでガタツキ状態になり、このガタツキ状態によって誤組み付けが生じていることが分かる。ガタツキ状態が分かった時点で第二コネクタの収容を止めて元に戻せばよい。
【実施例】
【００１５】
以下、図面を参照しながら実施例を説明する。図１は本発明のコネクタブロック、及び、コネクタブロックのコネクタ収容構造の一実施形態を示す斜視図である。また、図２は図１のコネクタブロックの正面図、図３は図２の矢印Ａ部分の拡大図、図４はコネクタブロックだけの斜視図、図５は図２のＢ−Ｂ線断面図、図６は図５の矢印Ｃの方向から見た図、図７は図６の第一コネクタ収容部と第一コネクタの図である。
【００１６】
＜コネクタブロック１と複数のコネクタ２〜６について＞
図１及び図２において、引用符号１で示すコネクタブロックは、例えば自動車等の移動体におけるワイヤハーネス同士を電気的に接続する際に用いられる（ワイヤー・トゥー・ワイヤーをするために用いられる）。コネクタブロック１は、一方のワイヤハーネスにおける複数のコネクタを各々収容して一つの箇所にまとめるようなコネクタ収容構造２を有する。尚、コネクタブロック１における図中のコネクタ収容数は一例であるものとする。先ずコネクタについて説明をし、次にコネクタブロック１について説明をする。
【００１７】
＜複数のコネクタ（第一コネクタ３〜第五コネクタ７）について＞
図１及び図２において、ワイヤハーネスを構成する複数本の電線端末に設けられるコネクタは、本実施例において、引用符号３で示すものが第一コネクタ、引用符号４で示すものが第二コネクタ、引用符号５で示すものが第三コネクタ、引用符号６で示すものが第四コネクタ、引用符号７で示すものが第五コネクタである。第一コネクタ３〜第五コネクタ７はそれぞれ、図示しない複数の端子金具と、この端子金具を収容保持するコネクタハウジング（第一コネクタハウジング８、第二コネクタハウジング９、第三コネクタハウジング１０、第四コネクタハウジング１１、第五コネクタハウジング１２）とを備えて構成される。尚、第一コネクタハウジング８〜第五コネクタハウジング１２の内部形状に関しては、図１のみ詳細に図示するものとし、他の図は省略するものとする。
【００１８】
＜第一コネクタハウジング８について＞
図１、図２、及び図５〜７において、第一コネクタハウジング８は、絶縁性を有する樹脂成形品であって、フード部１３と、端子収容部１４と、ロック部１５と、膨出部１６とを有する。第一コネクタハウジング８は、公知の構造を有するように形成される（後述する誤組み付けに係る構造はコネクタブロック１側のみに設けられるものとする）。
【００１９】
＜フード部１３及び端子収容部１４について＞
図５ないし図７において、フード部１３は、図示しない相手コネクタハウジングとの嵌合部分として形成される。また、フード部１３は、この内部に図示しない複数の端子金具（雄端子）が突出するような部分に形成される。フード部１３は、突出した端子金具を囲むような矩形の箱形状に形成される。端子収容部１４は、フード部１３の奥側（後方）に連続する部分であって、図示しない複数の端子金具を収容保持（又はインサート成形にて保持）することができるように形成される。
【００２０】
＜ロック部１５及び膨出部１６について＞
図５ないし図７において、ロック部１５は、コネクタブロック１の後述するロックアーム４７に係止される部分として形成される。膨出部１６は、ロック部１５の反対側に配置形成される。膨出部１６は、フード部１３から外側に膨出する矩形状の部分に形成される。尚、膨出部１６にロック構造を持たせれば、図示しない相手コネクタに対する第二のロック部として機能させることも可能である。膨出部１６の前端は、コネクタブロック１の後述するストッパ５５に当接する部分として形成される。
【００２１】
＜第一コネクタ３における上側１７、下側１８等について＞
コネクタ基準で上下、左右、前後を定義すると、ロック部１５の形成側は第一コネクタ３の上側１７になるものとする。また、膨出部１６の側は下側１８になるものとする。また、引用符号１９は左側、引用符号２０は右側になるものとする。また、フード部１３がある側は前側２１に、端子収容部１４がある側は後側２２になるものとする。
【００２２】
＜第二コネクタハウジング９について＞
図１、図２、及び図８〜１２において、第二コネクタ４の第二コネクタハウジング９は、絶縁性を有する樹脂成形品であって、フード部２３と、端子収容部２４と、ロック部２５と、膨出部２６とを有する。第二コネクタハウジング９は、第一コネクタハウジング８と同様に公知の構造を有するように形成される（後述する誤組み付けに係る構造はコネクタブロック１側のみに設けられるものとする。上記フード部２３〜膨出部２６は、第一コネクタハウジング８のフード部１３〜膨出部１６と同じ機能であるものとする）。
【００２３】
＜第一コネクタハウジング８と第二コネクタハウジング９の相違点について＞
図２において、第一コネクタハウジング８と第二コネクタハウジング９の１つ目の相違点は、左右となる幅寸法Ｗ１、Ｗ２が僅かに違うことである。本実施例においては、第一コネクタハウジング８の幅寸法Ｗ１よりも第二コネクタハウジング９の幅寸法Ｗ２の方が若干短く（Ｗ１＞Ｗ２）なるように設定されている。また、２つ目の相違点としては、上下となる厚み寸法Ｔ１、Ｔ２が僅かに違うことであり、第一コネクタハウジング８の厚み寸法Ｔ１よりも第二コネクタハウジング９の厚み寸法Ｔ２の方が若干短く（Ｔ１＞Ｔ２）なるように設定されている。さらに、３つ目の相違点としては（図７及び図１１参照）、フード部１３、２３の長さ寸法が僅かに違うことであり、フード部１３の長さ寸法Ｌ１よりもフード部２３の長さ寸法Ｌ２の方が若干短く（Ｌ１＞Ｌ２）なるように設定されている。尚、寸法差は僅かであり、第一コネクタハウジング８と第二コネクタハウジング９は見た目に分かり難くなっている。
【００２４】
＜第二コネクタ４における上側２７、下側２８等について＞
コネクタ基準で上下、左右、前後を定義すると、第一コネクタ３と同様にロック部２５の形成側が上側２７になるものとする。また、膨出部２６の側は下側２８になるものとする。また、引用符号２９は左側、引用符号３０は右側になるものとする。また、フード部２３がある側は前側３１に、端子収容部２４がある側は後側３２になるものとする。
【００２５】
尚、コネクタ基準で上下、左右、前後を定義することに関し、第三コネクタ５〜第五コネクタ７も同じであるものとする。
【００２６】
＜コネクタブロック１について＞
図１、図２、及び図４において、コネクタブロック１は、上記コネクタハウジングと同様に絶縁性を有する樹脂成形品であって、コネクタブロック本体３３と、第一コネクタ収容部３４と、第二コネクタ収容部３５と、第三コネクタ収容部３６と、第四コネクタ収容部３７と、第五コネクタ収容部３８と、固定部３９とを有して図示形状（図４参照）に形成される。
【００２７】
＜コネクタブロック本体３３及び固定部３９について＞
図１、図２、及び図４において、コネクタブロック本体３３は、複数のコネクタ収容部（第一コネクタ収容部３４〜第五コネクタ収容部３８）を一つの箇所にまとめるケース状の部分に形成される。固定部３９は、コネクタブロック本体３３（コネクタブロック１）を移動体の所望の箇所に固定するための部分であって、図示しないボルトに対するボルト挿通孔４０を有する。
【００２８】
＜第一コネクタ収容部３４について＞
図１ないし図７において、第一コネクタ収容部３４は、第一コネクタ３（第一コネクタハウジング８）の正規収容部分として形成される。第一コネクタ収容部３４は、第一コネクタハウジング８の上側１７に向かい合う上側対向部４１と、第一コネクタハウジング８の下側１８に向かい合う下側対向部４２と、第一コネクタハウジング８の左側１９及び右側２０にそれぞれ向かい合う左側対向部４３及び右側対向部４４と、前部開口４５及び後部開口４６とを有して矩形枠状の形状に形成される。
【００２９】
＜上側対向部４１について＞
図３ないし図７において、上側対向部４１は、上記の如く第一コネクタハウジング８の上側１７に向かい合う部分であって、ロックアーム４７と、アーム逃がし部４８と、一対の段部４９とを有する。
【００３０】
＜ロックアーム４７及びアーム逃がし部４８について＞
図３ないし図７において、ロックアーム４７は、可撓性を有するアーム形状の部分に形成される。ロックアーム４７には、係止部分５０と、コネクタ案内部５１とが形成される。ロックアーム４７は、第一コネクタ収容部３４に第一コネクタ３（第一コネクタハウジング８）が挿入される際（正規収容される際）に撓み、元の状態に弾性復帰すると第一コネクタ３（第一コネクタハウジング８）を係止して後方への移動を規制することができるように形成される。アーム逃がし部４８は、ロックアーム４７が撓んだ時の逃がし部分として形成される。
【００３１】
＜一対の段部４９について＞
図３ないし図５において、一対の段部４９は、下側対向部４２との間（又は下側対向部４２の後述する一対のガイドリブ５３との間）で第一コネクタ３（第一コネクタハウジング８）を保持することができるように突出形成される。また、一対の段部４９は、第一コネクタ３（第一コネクタハウジング８）の上下方向となる厚み寸法Ｔ１（図２参照）に合わせることができるように突出形成される。このような一対の段部４９は、上側対向部４１の両端側（左側対向部４３及び右側対向部４４の近傍）に位置するような離れた状態に配置される。また、一対の段部４９は、第二コネクタ４（第二コネクタハウジング９）が誤って第一コネクタ収容部３４に挿入されても、第二コネクタ４（第二コネクタハウジング９）が一対の段部４９の間に形成されるスペース５２に入り込むような離れた状態に配置される。
【００３２】
一対の段部４９は、この両方の突出先端が第一コネクタハウジング８の上側１７に接するような部分に形成される。また、一対の段部４９は、第二コネクタハウジング９が誤って第一コネクタ収容部３４に挿入されても、一対の段部４９のうちの片方のみが突出先端で接する、又は、どちらも接しないような部分に形成される。
【００３３】
一対の段部４９は、上側対向部４１と左側対向部４３との境界及び上側対向部４１と右側対向部４４との境界が正面視Ｌ字状となるような形状に形成される。また、一対の段部４９は、上記Ｌ字状の形状が内側に凸となるような形状に形成される。また、一対の段部４９は、上記Ｌ字状の形状が前後方向に真っ直ぐのびるような形状に形成される。
【００３４】
＜下側対向部４２について＞
図４ないし図７において、下側対向部４２は、上記の如く第一コネクタハウジング８の下側１８に向かい合う部分であって、一対のガイドリブ５３を有する。一対のガイドリブ５３は、後部開口４６を介して第一コネクタ収容部３４に挿入された第一コネクタハウジング８の膨出部１６を案内する部分として形成される。また、一対のガイドリブ５３は、第一コネクタ収容部３４に挿入・収容された第一コネクタハウジング８の膨出部１６の左右方向のガタツキを規制する部分としても形成される。一対のガイドリブ５３は、前後方向に真っ直ぐのびるようなリブ状の形状に形成される。一対のガイドリブ５３は、この突出先端が第一コネクタハウジング８の下側１８に接するように形成される（又は一対のガイドリブ５３の間となる下側対向部４２の面が第一コネクタハウジング８の下側１８に接するように形成される）。
【００３５】
＜左側対向部４３及び右側対向部４４について＞
図３ないし図５において、左側対向部４３及び右側対向部４４は、上記の如く第一コネクタハウジング８の左側１９及び右側２０にそれぞれ向かい合う部分であって、小さく突出するリブ５４を有する。
【００３６】
＜前部開口４５及び後部開口４６について＞
図４ないし図７において、後部開口４６は、第一コネクタ３（第一コネクタハウジング８）の挿入開始部分として開口形成される。また、前部開口４５は、第一コネクタ収容部３４に挿入された第一コネクタハウジング８の前端を臨むことができる部分として開口形成される。前部開口４５には、ストッパ５５が形成される。
【００３７】
＜ストッパ５５について＞
図４ないし図７において、ストッパ５５は、下側対向部４２の前端（前部開口４５）及び一対のガイドリブ５３の前端にそれぞれ連続するような部分に形成される。ストッパ５５は、第一コネクタハウジング８の膨出部１６の前端が当接可能になる部分として形成される。ストッパ５５は、第一コネクタ収容部３４に収容された第一コネクタ３（第一コネクタハウジング８）の前方への移動を規制する部分として形成される。ストッパ５５は、ロックアーム４７の係止部分５０との間隔が第一コネクタ３におけるフード部１３の長さ寸法Ｌ１に合うように配置形成される。
【００３８】
＜第二コネクタ収容部３５について＞
図１、図２、及び図４において、第二コネクタ収容部３５は、第二コネクタ４（第二コネクタハウジング９）の正規収容部分として形成される。第二コネクタ収容部３５は、第二コネクタ４の上側２７に向かい合う上側対向部５６と、第二コネクタ４の下側２８に向かい合う下側対向部５７と、第二コネクタ４の左側２９及び右側３０にそれぞれ向かい合う左側対向部５８及び右側対向部５９と、前部開口６０及び後部開口６１とを有して矩形枠状の形状に形成される。尚、第二コネクタ収容部３５は、第一コネクタ収容部３４のような一対の段部４９を有してない点で相違する（第三コネクタ収容部３６〜第五コネクタ収容部３８も同じく一対の段部４９を有してない点で相違する）。
【００３９】
＜第一コネクタ収容部３４への第一コネクタ３の正規収容について＞
上記構成及び構造において、第一コネクタ収容部３４への第一コネクタ３の正規収容は、後部開口４６から前部開口４５に向けて第一コネクタ３を挿入することで開始される。挿入が開始されると、第一コネクタ３はロックアーム４７のコネクタ案内部５１に当接してコネクタ案内部５１を摺接する。この摺接によりロックアーム４７が撓み、第一コネクタ３は更に奥まで挿入される。この時、第一コネクタ３の膨出部１６は一対のガイドリブ５３により案内される。そして、第一コネクタ３がストッパ５５に当接するまで挿入されると、ロックアーム４７は元の状態に弾性復帰してロック音を伴いながら第一コネクタ３を係止する。以上により、第一コネクタ収容部３４への第一コネクタ３の正規収容が完了する。
【００４０】
第一コネクタ３は、一対の段部４９と下側対向部４２とにより保持され（又は一対のガイドリブ５３とにより保持され）、その結果、上下方向（コネクタ上下方向）に大きなガタツキが生じることなく収容される。また、第一コネクタ３は、左側対向部４３及び右側対向部４４により保持され（又は一対のガイドリブ５３により膨出部１６が保持され）、その結果、左右方向に大きなガタツキが生じることなく収容される。また、第一コネクタ３は、ロックアーム４７及びストッパ５５により保持され、その結果、前後方向に大きなガタツキが生じることなく収容される。
【００４１】
＜第一コネクタ収容部３４への誤った挿入について＞
以下、図８ないし図１２を参照しながら、第一コネクタ収容部３４への第二コネクタ４の誤った挿入について説明をする。ここでは誤組み付けを防止することができることまでについてを説明する。
【００４２】
図８は第二コネクタを誤って第一コネクタ収容部に挿入してしまった場合の斜視図である。また、図９は図８のコネクタブロックの正面図、図１０は図９のＤ−Ｄ線断面図、図１１は図１０の矢印Ｅの方向から見た図、図１２は第二コネクタが第一コネクタ収容部から外れる状態を示す断面図である。
【００４３】
図８ないし図１１において、第二コネクタ収容部３５に収容されるはずの第二コネクタ４を誤って第一コネクタ収容部３４へ挿入してしまうと、第二コネクタ４のフード部２３は一対の段部４９の間に形成されるスペース５２に入り込んでしまう。この入り込みは上述の寸法差によるもので（僅かな形状違いによるもので）、そのため第二コネクタ４が下側対向部４２から離れる方向に傾くような状態になり、結果、安定性を欠いて上下方向（コネクタ上下方向）に比較的大きなガタツキが生じることになる（正規収容と異なる大きなガタツキが生じることになる）。また、第二コネクタ４を誤って第一コネクタ収容部３４へ挿入してしまうと、第二コネクタ４のフード部２３が上述の寸法差によってロックアーム４７により係止されず、そのため安定性を欠いて前後方向に比較的大きなガタツキが生じることになる（正規収容と異なる大きなガタツキが生じることになる。また、ロック音がしないことにもなる）。従って、以上のような比較的大きなガタツキやロック音なしにより誤組み付けが生じていることが分かり、この時点で第二コネクタ４の収容を止めて元に戻せばよい。尚、図１２に示すように第二コネクタ４がストッパ５５に引っ掛からず前方へ外れてしまうこともある。
【００４４】
＜コネクタブロック１の効果について＞
以上、図１ないし図１２を参照しながら説明してきたように、本発明の一実施形態であるコネクタブロック１によれば（コネクタブロック１のコネクタ収容構造２によれば）、上述の寸法差により僅かに形状の違う第一コネクタ３及び第二コネクタ４同士であっても、この第二コネクタ４の誤組み付けを防止することができるという効果を奏する。
【００４５】
本発明は本発明の主旨を変えない範囲で種々変更実施可能なことは勿論である。
【符号の説明】
【００４６】
１…コネクタブロック、  ２…コネクタ収容構造、  ３…第一コネクタ、  ４…第二コネクタ、  ５…第三コネクタ、  ６…第四コネクタ、  ７…第五コネクタ、  ８…第一コネクタハウジング、  ９…第二コネクタハウジング、  １０…第三コネクタハウジング、  １１…第四コネクタハウジング、  １２…第五コネクタハウジング、  １３…フード部、  １４…端子収容部、  １５…ロック部、  １６…膨出部、  １７…上側、  １８…下側、  １９…左側、  ２０…右側、  ２１…前側、  ２２…後側、  ２３…フード部、  ２４…端子収容部、  ２５…ロック部、  ２６…膨出部、  ２７…上側、  ２８…下側、  ２９…左側、  ３０…右側、  ３１…前側、  ３２…後側、  ３３…コネクタブロック本体、  ３４…第一コネクタ収容部、  ３５…第二コネクタ収容部、  ３６…第三コネクタ収容部、  ３７…第四コネクタ収容部、  ３８…第五コネクタ収容部、  ３９…固定部、  ４０…ボルト挿通孔、  ４１…上側対向部、  ４２…下側対向部、  ４３…左側対向部、  ４４…右側対向部、  ４５…前部開口、  ４６…後部開口、  ４７…ロックアーム、  ４８…アーム逃がし部、  ４９…段部、  ５０…係止部分、  ５１…コネクタ案内部、  ５２…スペース、  ５３…ガイドリブ、  ５４…リブ、  ５５…ストッパ、  ５６…上側対向部、  ５７…下側対向部、  ５８…左側対向部、  ５９…右側対向部、  ６０…前部開口、  ６１…後部開口、  Ｗ１、Ｗ２…幅寸法、  Ｔ１、Ｔ２…厚み寸法、  Ｌ１、Ｌ２…長さ寸法
【図１】
2019046600.tif 000003
【図２】
2019046600.tif 000004
【図３】
2019046600.tif 000005
【図４】
2019046600.tif 000006
【図５】
2019046600.tif 000007
【図６】
2019046600.tif 000008
【図７】
2019046600.tif 000009
【図８】
2019046600.tif 000010
【図９】
2019046600.tif 000011
【図１０】
2019046600.tif 000012
【図１１】
2019046600.tif 000013
【図１２】
2019046600.tif 000014